(57)【要約】【課題】  大電流を流す電線であっても取り付け作業を容易かつ効率的に行なうことができるねじ無し端子台を提供する。【解決手段】  本発明は、端子台本体２内にロック板２１を設け、このロック板２１をドライバ１２によってレバー操作の要領で水平方向に移動させ、端子台本体２に形成された係止部２ａに係止させることにより、電線１１を固定するためのコンタクトばね２３ａ、２３ｂを上方向の状態でロックする。ロックの解除は、ドライバ１２によりロック板２１を下方向に押すことによりロックが解除される。【選択図】      図３
2008130337.tif 000002
【特許請求の範囲】
【請求項１】
水平方向に電線を挿入するための電線用挿入孔が形成された端子台本体と、
前記端子台本体内に設けられ、前記電線用挿入孔に挿入された電線に接触するように配置されたターミナル板と、
前記ターミナル板に固定され、前記電線用挿入孔に挿入された電線を各一端がそれぞれ押圧して前記ターミナル板に固定するように配置された複数のコンタクトばねと、
前記端子台本体内に水平方向に移動可能に設けられ、前記端子台本体内部に形成された係止部に係止するための被係止部を有し、前記端子台本体の係止部に前記被係止部がロックされている場合に、前記複数のコンタクトばねを押圧して前記電線の挿入及び取り外しを可能にするロック板と、
前記端子台本体に着脱可能に設けられ、前記ターミナル板に電気的に接触するリード線を挿入するための複数の分岐ユニットと
を具備することを特徴とするねじ無し端子台。
【請求項２】
前記複数のコンタクトばねの各他端は、端子台本体の上面から挿入され、他のねじ無し端子台と電気的に接続するためのショートバーを固定するために使用されることを特徴とする請求項１記載のねじ無し端子台。
【請求項３】
前記複数のコンタクトばねは、重なるように形成されていることを特徴とする請求項１記載のねじ無し端子台。
【請求項４】
前記ターミナル板の前記電線に接触する面には、溝が形成されていることを特徴とする請求項１記載のねじ無し端子台。
【請求項５】
前記端子台本体の上面には、前記端子台本体の係止部に前記被係止部がロックされている場合に、前記ロック板を押圧して前記ロック板をリリースするためのリリース部材を挿入するためのリリース部材挿入孔が形成されていることを特徴とする請求項１記載のねじ無し端子台。
【請求項６】
前記分岐ユニットは分岐ターミナル板を有し、
前記ターミナル板には、前記分岐ターミナル板を挿入するための分岐ターミナル板挿入孔が形成されていることを特徴とする請求項１記載のねじ無し端子台。
【発明の詳細な説明】
【技術分野】
【０００１】
本発明は、ねじ無し端子台に関し、特に、大電流を流す電線を接続するためのパワー型ねじ無し端子台に関する。
【背景技術】
【０００２】
従来より、端子台への電線の取り付け作業の容易性から種々のねじ無し端子台が開発されている。しかしながら、このようなねじ無し端子台は、比較的小電流の電線を流すためのものとして開発されている。
【０００３】
このような従来の小電流を流す電線を接続するためのねじ無し端子台では、電線を端子台の上方向から挿入し、この挿入された電線をばねにより押圧して固定するものが広く知られている（特許文献１参照。）。
【特許文献１】特許第３３５４１１１号公報
【発明の開示】
【発明が解決しようとする課題】
【０００４】
比較的小電流を流す電線を接続するためのねじ無し端子台では、電線自体がしなやかであることから電線の配置については特に問題とならない。しかしながら、例えば、１５０［Ａ］以上の大電流を流す電線を接続するねじ無し端子台を従来のねじ無し端子台の構造で実現しようとすると、電線径が太いことから電線の柔軟性に欠け、電線の配線が困難になるという問題がある。
【０００５】
また、従来のねじ無し端子台では電線の配線を行なう際には、リリース釦を押しながら電線を配線する必要があるため作業者の両手が塞がってしまう。小電流を流す電線を接続するためのねじ無し端子台であれば問題はないが、大電流を流す電線を接続するねじ無し端子台の場合についても同様の構造とすると、電線サイズが大きくなるにつれてリリース釦の押し加重と、電線の取り回しを同時に行なうことが作業者にとって困難になるという問題もある。
【０００６】
一方、大電流用の端子台としては、ねじにより電線を固定する端子台が存在するが、ねじで電線を固定するため、電線の取り付け作業に時間をとられてしまうという問題があった。
【０００７】
本発明は、上記実情に鑑みてなされたものであり、大電流を流す電線であっても取り付け作業を容易かつ効率的に行なうことができるねじ無し端子台を提供することを目的とする。
【課題を解決するための手段】
【０００８】
本発明の第１の発明によれば、水平方向に電線を挿入するための電線用挿入孔が形成された端子台本体と、前記端子台本体内に設けられ、前記電線用挿入孔に挿入された電線に接触するように配置されたターミナル板と、前記ターミナル板に固定され、前記電線用挿入孔に挿入された電線を各一端がそれぞれ押圧して前記ターミナル板に固定するように配置された複数のコンタクトばねと、前記端子台本体内に水平方向に移動可能に設けられ、前記端子台本体内部に形成された係止部に係止するための被係止部を有し、前記端子台本体の係止部に前記被係止部がロックされている場合に、前記複数のコンタクトばねを押圧して前記電線の挿入及び取り外しを可能にするロック板と、前記端子台本体に着脱可能に設けられ、前記ターミナル板に電気的に接触するリード線を挿入するための複数の分岐ユニットとを具備することを特徴とするねじ無し端子台、である。
【０００９】
本発明の第２の発明によれば、第１の発明において、前記複数のコンタクトばねの各他端は、端子台本体の上面から挿入され、他のねじ無し端子台と電気的に接続するためのショートバーを固定するために使用されることを特徴とするねじ無し端子台、である。
【００１０】
本発明の第３の発明によれば、第１の発明において、前記複数のコンタクトばねは、重なるように形成されていることを特徴とするねじ無し端子台、である。
【００１１】
本発明の第４の発明によれば、第１の発明において、前記ターミナル板の前記電線に接触する面には、溝が形成されていることを特徴とするねじ無し端子台。
【００１２】
本発明の第５の発明によれば、第１の発明において、前記端子台本体の上面には、前記端子台本体の係止部に前記被係止部がロックされている場合に、前記ロック板を押圧して前記ロック板をリリースするためのリリース部材を挿入するためのリリース部材挿入孔が形成されていることを特徴とするねじ無し端子台、である。
【００１３】
本発明の第６の発明によれば、第１の発明において、前記分岐ユニットは分岐ターミナル板を有し、前記ターミナル板には、前記分岐ターミナル板を挿入するための分岐ターミナル板挿入孔が形成されていることを特徴とするねじ無し端子台、である。
【発明の効果】
【００１４】
本発明によれば、大電流を流す電線であっても取り付け作業を容易かつ効率的に行なうことができるねじ無し端子台を提供することができる。
【発明を実施するための最良の形態】
【００１５】
以下、図面を参照して、本発明の実施の形態に係るねじ無し端子台について説明する。
【００１６】
図１は、本発明の実施の形態に係るねじ無し端子台の外観図である。
【００１７】
同図に示すように、ねじ無し端子台１の絶縁部材で形成されたねじ無し端子台本体２の側面に水平方向に形成された電線用挿入孔（図示せず）には電線１１が挿入される。また、端子台本体２の上面には、複数の分岐ユニット３が配置されている。この各分岐ユニット３は、ねじ無し端子台本体２に対して着脱可能であり、それぞれリード線１３を挿入可能である。
【００１８】
そして、電線１１と各リード線１３とは、ターミナル板（図示せず）を介して電気的に接続されている。さらに、ねじ無し端子台本体２の電線用挿入孔近傍の上面には、後述するロック機構によるロックを行なうために挿入されるドライバ１２のためのドライバ挿入用ロック孔４及びロックを解除するために挿入されるドライバ１２のためのドライバ挿入用リリース孔６が形成され、ねじ無し端子台本体２の上面であって、分岐ユニット３とドライバ挿入用リリース孔６との間には、他のねじ無し端子台と電気的に接続するためのショートバー用挿入孔５が形成されている。
【００１９】
本実施の形態に係るねじ無し端子台１のねじ無し端子台本体２の下部は、レールを挟みこむことにより取り付け可能な形状となっており、また、シャフトを通すためのシャフト孔１７が端子台本体２の下部の両側に形成されている。
【００２０】
以下、図２乃至図６を参照して、本発明の実施の形態に係るねじ無し端子台の構成について詳細に説明する。
【００２１】
図２はショートバーで接続された２つのねじ無し端子台の上面図であり、図３はねじ無し端子台のＡ−Ａ’部分断面図、図４はロック板によりロックした状態を示す図、図５はショートバーで接続された２つのねじ無し台をＢ方向から見た側面図、図６はターミナル板、コンタクトばね及び分岐ユニットに挿入されたリード線との関係を示す図である。
【００２２】
ねじ無し端子台１のねじ無し端子台本体２の側面から内部に向かって水平方向に形成された電線用挿入孔１５には電線１１が挿入される。ねじ無し端子台本体２内に設けられたターミナル板２２は、電線１１が電線用挿入孔１５に挿入された際に電線１１の一端に接触するように配置される。
【００２３】
ターミナル板２２は、金属部材で形成され、図６に示すように、Ｌ字形状の電線接触部２２ａと、この電線接触部２２ａの上端から斜め下方向に伸びるように形成され、分岐ユニット３の下部に形成された分岐ターミナル板３ａを差し込むための分岐ターミナル板挿入孔２２ｈが形成された分岐ユニット挿入部２２ｂを有する。電線接触部２２ａの電線１１と接触する表面には、電線１１がガタつかないように、電線１１との摩擦力を増大するために溝２２ｃが形成されている。
【００２４】
また、電線接触部２２ａの側面から垂直方向に延びる側板２２ｄと、この側板２２ｄに対して垂直方向に伸び、コンタクトばね２３ａ、２３ｂの位置を固定するための固定部２２ｅ〜２２ｇがそれぞれ形成されている。
【００２５】
図３及び図６に示すように、コンタクトばね２３ａ、２３ｂは重なるように形成されており、コンタクトばね２３ｂの一端側はショートバー１４が挿入された際に接触するように配置されている。
【００２６】
コンタクトばね２３ａ、２３ｂの他端は、電線１１が挿入された際に、電線１１に互いに異なる位置で接触するように、互いに異なる曲率で湾曲するように形成されている。一般に、電線サイズが大きくなると引っ張り荷重も大きくなるが、本実施の形態では、２枚のコンタクトばね２３ａ、２３ｂにより電線１１を押圧してターミナル板２２に固定することにより、大きな引っ張り荷重にも対応することができ、その結果、電線１１を確実に固定することができる。なお、本実施の形態では、コンタクトばねが２枚の場合について説明しているが、３枚上のばねを使用しても良いことはいうまでもない。
【００２７】
大電流（例えば、１５０［Ａ］以上）が流れる電線を対象とする場合、発熱の問題は非常に重要な問題となる。本実施の形態によれば、２枚のコンタクトばね２３ａ、２３ｂにより、電線１１に互いに異なる場所で接触して固定することにより、１枚のばねで電線１１を固定する場合に比して、電線１１との接触点が多くなることから発熱を抑えることが可能となる。
【００２８】
ターミナル板２２の分岐ユニット挿入部２２ｂには、複数の分岐ユニット３の分岐ターミナル板３ａを嵌合するための分岐ターミナル板挿入孔２２ｈが形成されており、電線１１を流れる電流はターミナル板２２及び分岐ターミナル板３ａを介して各リード線１３に出力される。
【００２９】
分岐ユニット３は、ねじ無し端子台１の長手方向に沿って６個配置されており、これらは分岐端子台本体２に対して着脱可能である。各分岐ユニット３の構造はクラッチロック端子台の構造と同じであり、出力側となるリード線１３をばねにより押圧して固定し、リード線用リリース釦１６を押下することによりばねを湾曲してリード線１３を取り外す構造となっている。
【００３０】
なお、これら分岐ユニット３は６つに限られるものではなく、また、分岐ユニット３の数が足りない場合にはショートバー１４を介して他のねじ無し端子台のターミナル板及びコンタクトばねに電気的に接続することにより、他の分岐ユニット３を利用することができる。
【００３１】
次に、本発明の実施の形態に係るねじ無し端子台のロック機構について説明する。
【００３２】
図３に示すように、ねじ無し端子台本体２の内部にはコンタクトばね２３ａ，２３ｂを固定するためのロック板２１が設けられている。このロック板２１は、ねじ無し端子台本体２の内部に水平方向に形成された電線用挿入孔１５と平行に形成され、ねじ無し端子台本体２の一部として一体形成されるロック板スライド部３１に沿って平行に移動可能である。
【００３３】
具体的には、ドライバ挿入用ロック孔４からドライバ１２を挿入し、レバー操作のようにドライバ１２を動かすことにより（図３の点線部分）、ロック板２１を平行に移動させる。このようにして、ロック板２１を水平方向に移動させて、コンタクトばね２３ａ、２３ｂを押圧すると、図４に示すように、コンタクトばね２３ｂに接触する部分は下方向の反力を受け、ロック板２１のコンタクトばね２３ｂに接触する部分側は下方向に移動し、ドライバ１２に接触する側は上方向に浮き上がり、ロック板２１全体は斜め方向に傾く。
【００３４】
これにより、ロック板２１に形成された被係止部２１ａが端子台本体２の内部に一体的に形成された係止部２ａに係止し、ロック板２１がコンタクトばね２３ａ、２３ｂを上方向に押し上げた状態でロックする。このようにして、ロック板２１によりコンタクトばね２３ａ、２３ｂがロックされると、コンタクトばね２３ａ、２３ｂが上方向に押し上げられるので、電線１１の挿入及び取り外しを容易に行なうことが可能となる。
【００３５】
なお、ロック板２１の被係止部２１ａより上部２１ｂは、ロック板２１の被係止部２１ａを有する下部２１ｃに比して、その厚さの幅（紙面垂直方向の厚さ）が薄く形成されており、端子台本体２の内部に一体的に形成された係止部２ａにはひっかからずに水平方向に移動可能である。
【００３６】
また、ロックを解除する場合には、ドライバ挿入用リリース孔６からドライバ１２を挿入して、ロック板２１を下方向に押し付けることにより、ロックが解除され（係止が解除され）、コンタクトばね２３ａ、２３ｂからの力によりロック板２１が水平方向に押し戻される。その結果、２枚のコンタクトばね２３ａ、２３ｂにより、電線１１を確実に固定することができる。
【００３７】
なお、本実施の形態においては、ドライバ１２を使用してロック板２１を移動させ、ロック機構のロックを行なう場合を示したが、ロック板２１を移動させることができるものであればドライバ１２以外の部材を使用しても良いことはいうまでもない。
【００３８】
本実施の形態においては、ロック機構を操作して電線１１を挿入、取り外しを行なうことができるので、配線の際に電線１１に過度の荷重がかからないため、種々のタイプの電線１１に適用することができる。
【００３９】
したがって、本発明の実施の形態に係るねじ無し端子台によれば、ドライバ１２を挿入してレバー操作の要領でロック板２１を移動させることによりコンタクトばね２３ａ、２３ｂの位置を固定して、電線１１の挿入及び取り外しを可能とすることができるので、電線サイズが大きくなっても配線作業を容易に行なうことができる。
【００４０】
すなわち、従来のねじ無し端子台の場合、リリース釦を押しながら電線の配線を行なう必要があるため作業者の両手が塞がってしまい、また、電線サイズが大きくなるにつれてリリース釦の押し加重と、電線の取り回しを同時に行なうことが作業者にとって困難になるのに対し、本実施の形態によれば、まずドライバ１２によりロック板２１を移動させることによりコンタクトばね２３ａ、２３ｂの位置を固定し、その後、電線１１をねじ無し端子台１へ挿入及び取り外しを行なうことができるので、配線作業を効率的に行なうことができる。
【００４１】
また、本実施の形態においては、電線１１を水平方向から挿入する構成としているので、上方向から電線１１を挿入する場合に比して、電線サイズが大きくなり電線のしなやかさがない場合であっても、電線１１の取り回しが比較的容易になる。
【００４２】
さらに、電線を水平方向から挿入するとともに、２枚のコンタクトばね２３ａ、２３ｂにより電線１１を固定することにより、大きな引っ張り荷重にも対応することができ、その結果、電線１１を確実に固定することができる。電線１２を水平方向から挿入することにより、ターミナル板２２と電線１２との接触面積を大きくとることができ、その結果、電線を確実に固定できる他、電気的接続を確実に行なうことができる。
【００４３】
さらに、本実施の形態によれば、２枚のコンタクトばね２３ａ、２３ｂにより、電線１１に互いに異なる場所で接触して固定することにより、１枚のばねで電線１１を固定する場合に比して、電線１１との接触点が多くなることから発熱を抑えることが可能となる。
【００４４】
さらに、本実施の形態によれば、電線接触部２２ａの電線１１と接触する表面には、電線１１との摩擦力を増大するために溝２２ｃが形成されていることから、大きなサイズの電線１１を確実に固定することができる。
【００４５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４６】
【図１】本発明の実施の形態に係るねじ無し端子台の外観図である。
【図２】ショートバーで接続された２つのねじ無し端子台の上面図である。
【図３】ねじ無し端子台のＡ−Ａ’部分断面図である。
【図４】ロック板によりロックした状態を示す図である。
【図５】ショートバーで接続された２つのねじ無し端子台をＢ方向から見た側面図である。
【図６】ターミナル板、コンタクトばね及び分岐ユニットに挿入されたリード線との関係を示す図である。
【符号の説明】
【００４７】
１…ねじ無し端子台、２…ねじ無し端子台本体、３…分岐ユニット、４…ドライバ挿入用ロック孔、５…ショートバー用挿入孔、６…ドライバ挿入用リリース孔、１６…リード線用リリース釦、２１…ロック板、２２…ターミナル板、２３ａ、２３ｂ…コンタクトばね。
【図１】
2008130337.tif 000003
【図２】
2008130337.tif 000004
【図３】
2008130337.tif 000005
【図４】
2008130337.tif 000006
【図５】
2008130337.tif 000007
【図６】
2008130337.tif 000008